(57)【特許請求の範囲】
【請求項１】
放射性物質により汚染された可能性のある固体状の複数の測定対象物を収納し、前記測定対象物から発せられるガンマ線を測定するのに用いられるガンマ線測定用収納容器であって、
内部空間を分割して少なくとも２つの分割領域を形成する隔壁を有し、
前記隔壁は、鉛直方向に延びる前記ガンマ線測定用収納容器の軸線に略平行に配置され、前記内部空間を幅方向に分割する幅方向分割隔壁を含むことを特徴とするガンマ線測定用収納容器。
【請求項２】
前記隔壁は、前記軸線に略直交する方向に配置され、前記内部空間を前記軸線方向に分割する軸線方向分割隔壁を更に含むことを特徴とする請求項１に記載のガンマ線測定用収納容器。
【請求項３】
前記分割領域は、ガンマ線検出器で前記ガンマ線を測定するときに前記ガンマ線検出器に対面する位置に配置される外側領域と、前記ガンマ線検出器に対して前記外側領域より前記内部空間の内側に配置される内側領域とを有することを特徴とする請求項１又は２に記載のガンマ線測定用収納容器。
【請求項４】
複数の測定対象物を収納し、前記測定対象物から発せられるガンマ線を測定するのに用いられるガンマ線測定用収納容器であって、
内部空間を分割して少なくとも２つの分割領域を形成する隔壁を有し、
前記隔壁は、鉛直方向に延びる前記ガンマ線測定用収納容器の軸線に略平行に配置され、前記内部空間を幅方向に分割する幅方向分割隔壁を含み、
前記幅方向分割隔壁は、前記軸線方向に延びる筒形状を有し、前記内部空間を柱状領域と前記柱状領域の外周に配置される管状領域とに分割する筒形状隔壁を含むことを特徴とするガンマ線測定用収納容器。
【請求項５】
請求項１〜４のいずれか一項に記載のガンマ線測定用収納容器と、
前記ガンマ線測定用収納容器を取り囲み、放射線を遮蔽する筐体と、
前記測定対象物から発せられるガンマ線を検出する有感部が前記ガンマ線測定用収納容器と前記筐体との間に設けられたガンマ線検出器と、を有するガンマ線測定装置。
【請求項６】
請求項５に記載のガンマ線測定装置を用いて前記測定対象物から発せられるガンマ線を測定するガンマ線測定方法であって、
前記分割領域は、ガンマ線検出器で前記ガンマ線を測定するときに前記ガンマ線検出器に対面する位置に配置される外側領域と、前記ガンマ線検出器に対して前記外側領域より前記内部空間の内側に配置される内側領域とを有し、
前記内側領域に前記測定対象物を収納せずに前記外側領域の少なくとも一部に前記測定対象物を収納するか、又は、
前記内側領域及び前記外側領域それぞれの少なくとも一部に前記測定対象物を収納し、前記外側領域に収納された前記測定対象物の単位体積当たりの質量であるかさ密度Ｄ１と前記内側領域に収納された前記測定対象物の単位体積当たりの質量であるかさ密度Ｄ２とが、Ｄ１＞Ｄ２を満たすことを特徴とするガンマ線測定方法。
【発明の詳細な説明】
【技術分野】
【０００１】
この発明は、ガンマ線測定用収納容器、ガンマ線測定装置、及びガンマ線測定方法に関し、特に、測定対象物から発せられるガンマ線を正確にかつ効率良く測定し、これにより放射能濃度を正確に求めるのに寄与するガンマ線測定用収納容器、ガンマ線測定装置、及びガンマ線測定方法に関する。
【背景技術】
【０００２】
原子炉施設及び核燃料取扱施設の廃止措置や設備の補修等に伴って様々な種類の廃棄物が発生する。これらの廃棄物のうち核燃料によって汚染されたおそれのあるものは「放射性廃棄物」として扱われているが、実際には核燃料による汚染のない物や、放射性物質の放射能濃度が極めて低く、人への影響を無視することができる廃棄物も含まれている。
【０００３】
現在、原子炉施設や核燃料取扱施設で発生した廃棄物は、廃棄処分をするまでの間、工場や事業所毎に廃棄物倉庫等に保管されている。これらの廃棄物は、最終的には、「放射性廃棄物」として埋設等の最終処分を行うか、或いは、以下に述べるクリアランスを行うことにより、資源としてリサイクル可能な一般廃棄物として処分を行う。
【０００４】
クリアランスについて、非特許文献１には「ある放射線源に起因する人の健康に対するリスクが無視できることから、放射性物質として扱う必要がなく、当該放射線源を放射線防護に係る規制の体系から外してもよいとすること。」（非特許文献１の２頁）と記載されている。すなわち、放射性物質によって汚染された可能性のあるもののうち、放射能濃度が極めて低く、人の健康に対するリスクを無視できるものを、「核原料物質、核燃料物質及び原子炉の規制に関する法律」及び関係省令に規定された手続に基づいて、必要に応じて選別や除染処理を行い、放射性物質として扱う必要のないものとして取り扱えるようにすることをクリアランスと称する。
【０００５】
クリアランスを実施することにより、原子炉施設や核燃料取扱施設で発生した廃棄物を放射線防護に係る規制の体系から外すことができれば、放射性廃棄物の量が減るだけでなく、クリアランスを実施した後の廃棄物を新たな資源として利用できるようになる。
【先行技術文献】
【非特許文献】
【０００６】
【非特許文献１】一般社団法人  日本原子力学会  標準委員会「ウラン取扱施設におけるクリアランスの判断方法」2010（AESJ-SC-F020:2010）, 2012年2月
【発明の概要】
【発明が解決しようとする課題】
【０００７】
ところで、原子炉施設や核燃料取扱施設で発生した廃棄物を埋設処分又はクリアランスを実施する場合には、廃棄物の放射能の測定が必要になる。放射能の測定を行う場合、特に、金属製の廃棄物のクリアランスを行う場合には次のような課題がある。
【０００８】
廃棄物の放射能濃度を求める方法としては、アルファ線を測定する方法又はガンマ線を測定する方法等がある。アルファ線を測定する方法の場合、アルファ線は紙一枚で遮蔽されるため、単品毎にアルファ線を測定する必要があり、膨大な時間を要する。一方、ガンマ線を測定する方法の場合、ガンマ線は厚み１０ｃｍ程度の鉛板でようやく遮蔽できるほどの透過能力を有するため、ある程度の量の廃棄物をまとめて容器に詰め込み、容器の外側からガンマ線を測定することができる。したがって、ガンマ線を測定する方法は、アルファ線を測定する方法に比べて効率的に廃棄物の放射能濃度を求めることができる。
【０００９】
ガンマ線を測定する方法では、廃棄物を容器に詰め込み、効率的に放射能濃度を求めることができる一方で、廃棄物が折り重なって厚みが大きくなり過ぎると、遮蔽効果によりガンマ線を検出できなくなるという問題がある。
【００１０】
例えば、非特許文献１には、ガンマ線を測定するための容器として２００Ｌのドラム缶を用い、これに廃棄物を詰め込んで、専用のパッシブγ測定器でドラム缶の外側から廃棄物のガンマ線を測定する事例が紹介されている。非特許文献１では、金属製の廃棄物をドラム缶に詰め込んでクリアランス判断する場合には、ドラム缶での一回の測定で取扱う測定単位を１００ｋｇ程度として行うことが合理的であるとされている。
【００１１】
例えば、２００Ｌのドラム缶に１００ｋｇの鉄の廃棄物を詰め込む場合、鉄の比重は７．７ｇ／ｃｍ３であることから、体積が約１３０００ｃｍ３（１３Ｌ）の鉄を２００Ｌのドラム缶に詰め込むことになる。鉄の廃棄物は、ドラム缶に詰め込み可能な大きさで、所望により切断されて詰め込まれるので、例えば、１００ｋｇの鉄は約３２５枚の板材になる。２００Ｌのドラム缶に、その約１／１５の体積しかない大量の鉄をドラム缶内に均一に詰め込むのは非常に難しい。詰め込むことができたとしてもドラム缶を移動する際等に崩れ、ドラム缶の下部にクリアランス対象物が集まってしまう可能性もある。クリアランス対象物がドラム缶の下部に集まってしまうと、その中心付近に配置されたクリアランス対象物から発せられるガンマ線が遮蔽により減衰し、場合によってはドラム缶の中心付近にあるクリアランス対象物のガンマ線を検出できず、汚染源を見逃してしまうおそれがある。
【００１２】
また、ガンマ線の測定結果から対象核種の放射能濃度を算出する場合には、クリアランス対象物と同じ材質、密度を有し、放射能量が検定された校正用線源をドラム缶内に配置したもの（模擬クリアランス対象物）を用いて校正試験を行い、この校正試験の結果から放射能濃度を算出するか、或いはモンテカルロ法等を用いてシミュレーションにより放射能濃度を算出する。したがって、ドラム缶に詰め込むクリアランス対象物の材質及び密度はいずれも同一であり、クリアランス対象物の汚染分布及び形状がいずれも類似し、ドラム缶にクリアランス対象物を均一に詰め込むこと等により、ガンマ線の測定結果から対象核種の放射能量を正確に算出することができる。
【００１３】
このように、クリアランス対象物をドラム缶にできるだけ均一に詰め込むことは、放射能濃度を正確に算出する上で重要である。しかしながら、２００Ｌもの体積を有するドラム缶に１３Ｌの鉄を均一に詰め込むことは難しい。そこで、鉄等の密度の大きい廃棄物の場合には小型の容器を用いる、すなわちクリアランス対象物の材質によって専用の容器を準備することが考えられる。しかしながら、複数の専用の容器を準備することは煩雑であり、また、異なる大きさの容器を同じガンマ線測定装置で測定する場合、後述する図１のように、小さい容器ではガンマ線検出器とクリアランス対象物との距離が離れてしまう。ガンマ線の検出能力は、線源からガンマ線検出器に到達するまでに拡散される効果と、クリアランス対象物による遮蔽による減衰効果との相乗効果で表される。したがって、ガンマ線検出器とクリアランス対象物との距離が離れるほど検出能力が低下し、測定時間が長くなり、効率が悪くなる。ガンマ線検出器を可動式にして、ガンマ線検出器とクリアランス対象物との距離が離れないようにすることも考えられるが、ガンマ線検出器が精密な機器であることからガンマ線検出器は固定しておくのが望ましい。これらのいずれかの理由により、クリアランス対象物を収納する容器の大きさを変更せずに、遮蔽効果や効率を考慮しながらクリアランス対象物を均一に詰め込むための容器設計が求められる。
【００１４】
この発明は、測定対象物から発せられるガンマ線を正確にかつ効率良く測定し、これにより放射能濃度を正確に求めるのに寄与するガンマ線測定用収納容器を提供することを目的とする。
この発明は、測定対象物から発せられるガンマ線を正確にかつ効率良く測定し、これにより放射能濃度を正確に求めることができるガンマ線測定装置を提供することを目的とする。
この発明は、測定対象物から発せられるガンマ線を正確にかつ効率良く測定し、これにより放射能濃度を正確に求めることができるガンマ線測定方法を提供することを目的とする。
【課題を解決するための手段】
【００１５】
前記課題を解決するための手段は、
（１）  複数の測定対象物を収納し、前記測定対象物から発せられるガンマ線を測定するのに用いられるガンマ線測定用収納容器であって、
内部空間を分割して少なくとも２つの分割領域を形成する隔壁を有することを特徴とするガンマ線測定用収納容器である。
【００１６】
前記（１）の好ましい手段は、以下の通りである。
（２）  前記隔壁は、鉛直方向に延びる前記ガンマ線測定用収納容器の軸線に略平行に配置され、前記内部空間を幅方向に分割する幅方向分割隔壁、及び、前記軸線に略直交する方向に配置され、前記内部空間を前記軸線方向に分割する軸線方向分割隔壁のうちの少なくとも一方を含むことを特徴とする前記（１）に記載のガンマ線測定用収納容器である。
（３）  前記分割領域は、ガンマ線検出器で前記ガンマ線を測定するときに前記ガンマ線検出器に対面する位置に配置される外側領域と、前記ガンマ線検出器に対して前記外側領域より前記内部空間の内側に配置される内側領域とを有することを特徴とする前記（１）又は前記（２）に記載のガンマ線測定用収納容器である。
（４）前記幅方向分割隔壁は、前記軸線方向に延びる筒形状を有し、前記内部空間を柱状領域と前記柱状領域の外周に配置される管状領域とに分割する筒形状隔壁を含むことを特徴とする前記（２）又は前記（３）に記載のガンマ線測定用収納容器である。
【００１７】
前記別の課題を解決するための手段は、
（５）  前記（１）〜前記（４）のいずれか一つに記載のガンマ線測定用収納容器と、
前記ガンマ線測定用収納容器を取り囲み、放射線を遮蔽する筐体と、
前記測定対象物から発せられるガンマ線を検出する有感部が前記ガンマ線測定用収納容器と前記筐体との間に設けられたガンマ線検出器と、
を有するガンマ線測定装置である。
【００１８】
前記別の課題を解決するための手段は、
（６）  請求項５に記載のガンマ線測定装置を用いて前記測定対象物から発せられるガンマ線を測定するガンマ線測定方法であって、
前記分割領域は、ガンマ線検出器で前記ガンマ線を測定するときに前記ガンマ線検出器に対面する位置に配置される外側領域と、前記ガンマ線検出器に対して前記外側領域より前記内部空間の内側に配置される内側領域とを有し、
前記内側領域に前記測定対象物を収納せずに前記外側領域の少なくとも一部に前記測定対象物を収納するか、又は、
前記内側領域及び前記外側領域それぞれの少なくとも一部に前記測定対象物を収納し、前記外側領域に収納された前記測定対象物の単位体積当たりの質量であるかさ密度Ｄ１と前記内側領域に収納された前記測定対象物の単位体積当たりの質量であるかさ密度Ｄ２とが、Ｄ１＞Ｄ２を満たすことを特徴とするガンマ線測定方法である。
【発明の効果】
【００１９】
この発明に係るガンマ線測定用収納容器は、内部空間を分割する隔壁を有するので、測定対象物が隔壁と隔壁との間や隔壁とガンマ線測定用収納容器の内面との間に挟まれることにより、収納された測定対象物が崩れ難くなる。
この発明に係るガンマ線測定用収納容器は、内部空間を分割する隔壁により少なくとも２つの小さな分割領域が形成されているので、測定対象物の密度等の違いによって測定対象物の収納方法を適宜変更することで、ガンマ線測定用収納容器内に測定対象物を均一に配置することができ、また、ガンマ線測定用収納容器を取り扱う際に測定対象物を崩れ難くすることができる。例えば、測定対象物の密度が大きいため収納する測定対象物の総体積が小さい場合には、特定の分割領域のみに収納し、他の分割領域には収納しないようにしてもよい。この場合、分割領域はガンマ線測定用収納容器よりも小さいので、１つの大きな内部空間に測定対象物を詰め込む場合に比べて、測定対象物をより均一に配置することができ、また、崩れ難くなる。
したがって、均一に詰め込んだ測定対象物がガンマ線測定用収納容器の下部に多く偏在し、測定対象物から発せられるガンマ線が遮蔽により減衰し、場合によってはガンマ線を検出できずに測定対象物の放射能濃度を実際よりも低く判断してしまうことを防止することができる。
また、この発明に係るガンマ線測定用収納容器は、ガンマ線測定用収納容器内に測定対象物が崩れないように均一に配置し易くなるので、校正試験の結果又はシミュレーションに基づいてガンマ線の測定結果から放射能濃度をより正確に求めるのに寄与する。
また、この発明に係るガンマ線測定用収納容器は、測定対象物の材質毎にガンマ線測定用収納容器の大きさを変更せずに、一つのガンマ線測定用収納容器を用いて、例えば密度が大きいため収納する総体積が小さい測定対象物の場合でも、ガンマ線検出器と測定対象物との距離が離れ過ぎないように測定対象物を配置することができるので、あらゆる材質の測定対象物のガンマ線をより正確に、かつより効率良く測定するのに寄与する。
したがって、この発明によると、測定対象物から発せられるガンマ線をより正確に、かつより効率良く測定し、これにより放射能濃度をより正確に求めるのに寄与するガンマ線測定用収納容器を提供することができる。
【００２０】
この発明に係るガンマ線測定装置は、このようなガンマ線測定収納容器を有する。したがって、この発明によると、測定対象物から発せられるガンマ線をより正確にかつより効率良く測定し、これにより放射能濃度をより正確に求めることができるガンマ線測定装置を提供することができる。
【００２１】
ガンマ線の検出能力は、線源からガンマ線検出器に到達するまでに拡散される効果と、測定対象物による遮蔽による減衰効果との相乗効果で表されることから、内側領域と外側領域との両方に同じかさ密度で測定対象物を収納した場合には、外側領域に収納された測定対象物に比べて内側領域に収納された測定対象物から発せられるガンマ線の検出能力が劣る。この発明に係るガンマ線測定方法は、内側領域に測定対象物を収納しないか、或いは、外側領域における測定対象物のかさ密度Ｄ１に比べて内側領域における測定対象物のかさ密度Ｄ２が小さくなるように外側領域と内側領域とに測定対象物を収納するので、ガンマ線を正確にかつ効率良く測定することができる。
また、この発明に係るガンマ線測定方法は、内側領域及び外側領域のうち、少なくとも外側領域の少なくとも一部に測定対象物を収納するので、測定対象物が隔壁と隔壁との間や隔壁とガンマ線測定用収納容器の内面との間に挟まれることにより、収納された測定対象物が崩れ難くなる。
また、内側領域等の一部の分割領域に測定対象物を収納しない場合には、測定対象物を収納する空間が小さくなるので、１つの大きな内部空間に測定対象物を詰め込む場合に比べて、測定対象物を均一に配置することができ、また、崩れ難くなる。
したがって、均一に詰め込んだ測定対象物がガンマ線測定用収納容器の下部に多く偏在し、測定対象物から発せられるガンマ線が遮蔽により減衰し、場合によってはガンマ線を検出できずに測定対象物の放射能濃度を実際よりも低く判断してしまうことを防止することができる。
また、この発明に係るガンマ線測定方法は、ガンマ線測定用収納容器内に測定対象物が崩れないように均一に配置することがきるので、校正試験の結果又はシミュレーションに基づいてガンマ線の測定結果から放射能濃度をより正確に求めることができる。
また、この発明に係るガンマ線測定方法は、外側領域の少なくとも一部に測定対象物を配置するので、測定対象物の材質毎にガンマ線測定用収納容器の大きさを変更せずに、一つのガンマ線測定用収納容器を用いて、例えば密度が大きいため収納する総体積が小さい測定対象物の場合でも、ガンマ線検出器と測定対象物との距離が離れ過ぎないように測定対象物を配置することができるので、あらゆる材質の測定対象物のガンマ線をより正確に、かつより効率良く測定することができる。
したがって、この発明によると、測定対象物から発せられるガンマ線をより正確にかつより効率良く測定し、これにより放射能濃度をより正確に求めることができるガンマ線測定方法を提供することができる。
【図面の簡単な説明】
【００２２】
【図１】図１は、この発明に係るガンマ線測定装置の一実施例を示すガンマ線測定装置の断面概略説明図である。
【図２】図２（ａ）は、この発明に係るガンマ線測定用収納容器の一実施例を示すガンマ線測定用収納容器の断面概略説明図である。図２（ｂ）は、図２（ａ）におけるＸ１−Ｘ１断面を示す断面概略説明図である。図２（ｃ）は、図２（ａ）に示すガンマ線測定用収納容器において、柱状領域に測定対象物を収納した場合を示す断面概略説明図である。
【図３】図３（ａ）は、この発明に係るガンマ線測定用収納容器の別の実施例を示すガンマ線測定用収納容器の断面概略説明図である。図３（ｂ）は、図３（ａ）におけるＸ２−Ｘ２断面を示す断面概略説明図である。
【図４】図４（ａ）は、この発明に係るガンマ線測定用収納容器の別の実施例を示すガンマ線測定用収納容器の断面概略説明図である。図４（ｂ）は、図４（ａ）におけるＸ３−Ｘ３断面を示す断面概略説明図である。
【図５】図５（ａ）は、この発明に係るガンマ線測定用収納容器の別の実施例を示すガンマ線測定用収納容器の断面概略説明図である。図５（ｂ）は、図５（ａ）におけるＸ４−Ｘ４断面を示す断面概略説明図である。
【図６】図６（ａ）は、この発明に係るガンマ線測定用収納容器の別の実施例を示すガンマ線測定用収納容器の断面概略説明図である。図６（ｂ）は、図６（ａ）におけるＸ５−Ｘ５断面を示す断面概略説明図である。
【図７】図７は、この発明に係るガンマ線測定装置の別の一実施例を示すガンマ線測定装置の断面概略説明図である。
【発明を実施するための形態】
【００２３】
（第１実施形態）
［ガンマ線測定装置］
この発明に係るガンマ線測定装置の一実施例であるガンマ線測定装置の断面概略説明図を図１に示す。図１に示すように、このガンマ線測定装置１００は、複数の測定対象物Ｔを収納するガンマ線測定用収納容器１０と、ガンマ線測定用収納容器１０を取り囲み、放射線を遮蔽する筐体２と、ガンマ線測定用収納容器１０と筐体２との間に設けられ、ガンマ線測定用収納容器１０に収納された測定対象物Ｔから発せられるガンマ線を検出するガンマ線検出器３と、ガンマ線測定用収納容器１０が載置される回転テーブル４とを有する。
【００２４】
測定対象物Ｔは、放射性物質により汚染された可能性のあるもの、通常固体であり、測定対象物Ｔから発せられるガンマ線を測定することにより、放射能濃度が測定される。測定対象物Ｔとしては、例えば、発電用原子炉、実験炉、及び研究炉等の原子炉施設、並びに核燃料転換施設、核燃料濃縮施設、及び核燃料加工施設等の核燃料取扱施設の運転、修理、改造、及び廃止措置に伴って発生する機器類、及び建築物等の廃材が挙げられる。
【００２５】
測定対象物Ｔの材質は、特に限定されず、炭素鋼、ステンレス鋼、銅、及びアルミニウム等の金属、コンクリート、並びにプラスチック等を挙げることができる。これらの中でも密度が高い材料、例えば密度３ｇ／ｃｍ３以上の金属は、ガンマ線測定用収納容器に収納する体積が小さく、従来のガンマ線測定用収納容器では崩れないように均一に詰め込むのが難しく、また、ガンマ線の遮蔽による減衰効果が高いので、この発明の効果をより発揮することができる。
【００２６】
測定対象物Ｔの形状は、特に限定されず、板状、棒状、角状、球状等の単純形状、突起部及び曲面等を有する複雑形状を挙げることができる。測定対象物Ｔは、ガンマ線測定用収納容器１０に収納可能な大きさを有し、必要に応じて切断されて、すべての測定対象物Ｔが同程度の大きさ及び形状にされる。測定対象物Ｔは、放射性物質として扱われる高い放射能濃度を有していてもよいし、放射性物質としての取扱いから外される放射能濃度であるクリアランスレベル以下の放射能濃度を有していてもよい。このガンマ線測定用収納容器１０は、クリアランスレベル以下の低い放射能濃度を有する測定対象物Ｔであっても、遮蔽による減衰効果の影響を少なくしてガンマ線を測定し、放射能濃度をより正確に求めることができるので、測定対象物Ｔがクリアランスレベル程度の低い放射能濃度を有する場合に、この発明の効果をより発揮することができる。
【００２７】
筐体２は、ガンマ線測定用収納容器１０を取り囲み、測定対象物Ｔ以外のものから発せられる放射線を遮蔽し、ガンマ線検出器３が測定対象物Ｔから発せられるガンマ線のみを検出するように設けられている。すなわち、筐体２は、バックグラウンド放射線の影響を排除する機能を有する。筐体２は、測定対象物Ｔ以外のものから発せられる放射線を遮蔽することができればよく、例えば、タングステン、鉛、及び鉄等により所望の厚みに形成される。筐体２の形状は、ガンマ線測定用収納容器１０をその内部に載置することができる限り特に限定されず、図１に示す角箱型以外に、筒箱型等であってもよい。
【００２８】
ガンマ線検出器３は、ガンマ線を検出する有感部が筐体２の内部に設けられ、ガンマ線測定用収納容器１０に収納された測定対象物Ｔが発するガンマ線を測定する。ガンマ線検出器３としては、Ｇｅ半導体検出器又はＮａＩシンチレーション検出器を挙げることができる。ガンマ線検出器３としては、分解能が高く、核種別に低濃度の定量をできる点でＧｅ半導体検出器が好ましい。図１に示すガンマ線測定装置１０は、筐体２の一つの側壁を貫通するようにＧｅ半導体検出器を有する３つの検出装置が鉛直方向に配置されている。ガンマ線を検出するＧｅ半導体検出器の有感部が筐体２の内部に露出するように設けられており、測定時にはＧｅ半導体検出器を液体窒素で冷却できるように、筐体２の外側に液体窒素を貯蔵するタンクが設置されている（図示なし）。このガンマ線測定装置１０は、鉛直方向に適度な間隔で３つのガンマ線検出器３が配置されているので、鉛直方向のガンマ線測定感度の平坦化を図ることができる。
【００２９】
ガンマ線測定装置１０は、回転テーブル４を有する。ガンマ線測定用収納容器１０は、回転テーブル４に載置されて、所定の角速度で回転しつつガンマ線検出器３で測定対象物Ｔから発せられるガンマ線が測定される。ガンマ線測定用収納容器１０を回転させながらガンマ線を測定することにより、ガンマ線測定用収納容器１０の周方向の測定対象物Ｔの均一化及び放射線源の均一化を図ることができ、これによって測定したガンマ線から放射能濃度をより正確に算出することができる。また、Ｘ軸方向及びＹ軸方向に複数のガンマ線検出器３を設置することなく、一つのガンマ線検出器３を設置するだけで、ガンマ線測定用収納容器１０の周方向の測定対象物Ｔの均一化及び放射線源の均一化を図ることができる。この実施形態のガンマ線測定装置１０は、回転テーブル４を有するが、回転テーブル４はなくてもよい。回転テーブル４がない場合には、複数のガンマ線検出器がＸ軸方向及びＹ軸方向に設置されるのが好ましい。
【００３０】
ガンマ線測定装置１０におけるガンマ線検出器３の数は特に限定されず、少なくとも一つのガンマ線検出器３が設けられていればよい。図１に示すように、ガンマ線測定装置１０が回転テーブル４を有さず、ガンマ線測定用収納容器１０を回転させないで固定した状態でガンマ線を測定する場合には、筒形状を有するガンマ線測定用収納容器１０の軸線Ａ方向をＺ軸方向として、ガンマ線検出器は、ガンマ線測定用収納容器を中心にしてＸ軸方向に一対及びＹ軸方向に一対の計４個設けられているのが好ましく、さらにＺ軸方向に一対設けられて計６個設けられているのがより好ましい。ガンマ線測定用収納容器の幅方向の外周に計４個のガンマ線検出器が設けられていると、ガンマ線測定用収納容器を回転させずに周方向の測定対象物Ｔの均一化及び放射線源の均一化を図ることができ、さらにＺ軸方向にもガンマ線検出器が設けられていると、鉛直方向のガンマ線測定感度の平坦化を図ることができる。これによって測定したガンマ線から放射能濃度をより正確に算出することができる。ガンマ線検出器の数が多いほどガンマ線測定感度を平坦化することができる点で好ましい一方でコストが高くなり、メンテナンスが煩雑になることから、放射能濃度の精度、コスト、及びガンマ線測定装置のその他の構成等を考慮してガンマ線検出器の数及び配置等を決定するのが好ましい。
【００３１】
［ガンマ線測定用収納容器］
ガンマ線測定用収納容器１０は、複数の測定対象物Ｔを収納し、例えば、総計１００ｋｇ程度の測定対象物Ｔを収納可能な強度を有する。ガンマ線測定用収納容器１０は、複数の測定対象物Ｔを収納して複数の測定対象物Ｔから発せられるガンマ線をまとめて測定するのに用いられるので、単品毎に測定する場合に比べて効率的に測定するのに役立つ。ガンマ線測定用収納容器１０の内部空間を形成する外容器の好適例としては、図１及び図２に示すように、２００Ｌのドラム缶を挙げることができる。ドラム缶は有底円筒状を有し、円盤状の蓋がリング閉めされた筒箱型である。ドラム缶は、安価で所望の強度を有すると共に転がして移動できる等操作性が良好であることから好ましい。
【００３２】
ガンマ線測定用収納容器１０は、内部空間を分割して２つの分割領域８０を形成する隔壁９０を有する。図１及び図２に示す隔壁９０は、Ｚ軸方向すなわち筒箱型のガンマ線測定用収納容器１０の軸線Ａに略平行に配置され、内部空間を幅方向に分割しているので、幅方向分割隔壁１１と称することができる。さらに、この隔壁９０は、Ｚ軸方向すなわち筒箱型のガンマ線測定用収納容器１０の軸線Ａ方向に延びる筒形状を有し、内部空間を柱状領域１６と柱状領域１６の外周に配置される管状領域１７とに分割しているので、筒形状隔壁１１と称することもできる。この実施形態では、筒形状隔壁１１の軸線とガンマ線測定用収納容器１０の軸線Ａとは一致している。このガンマ線測定装置１００では、回転テーブル４で軸線Ａを中心にガンマ線測定用収納容器１０を回転しながらガンマ線検出器３で測定対象物Ｔから発せられるガンマ線を測定する。管状領域１７は、ガンマ線を測定するときにガンマ線検出器３に対面する位置に配置されるので外側領域１７と称することもできる。また、柱状領域１６は、ガンマ線検出器３に対して外側領域１７より内部空間の内側に配置されているので、内側領域１６と称することもできる。隔壁９０は、ガンマ線検出器３で測定対象物Ｔから発せられるガンマ線を検出可能な材質及び厚みを有している限り特に限定されない。
【００３３】
なお、図１、図２（ａ）及び図２（ｂ）において、柱状領域１６には測定対象物Ｔが収納されていない状態が示されている。柱状領域１６は、密度が小さく遮蔽効果が生じにくい物質で、かつ放射線を発生しない物質で満たされているか、或いは、中空であればよい。
【００３４】
ガンマ線測定用収納容器１０は、内部空間を分割する筒形状隔壁１１を有するので、例えば、管状領域１７に測定対象物Ｔを収納する場合には、測定対象物Ｔが筒形状隔壁１１とガンマ線測定用収納容器の内側面１５との間に挟まれることにより動き難くなり、収納された測定対象物Ｔが崩れ難くなる。
ガンマ線測定用収納容器１０は、柱状領域１６と管状領域１７とを有するので、例えば、測定対象物Ｔの密度が大きいため収納する総体積が小さい場合には、管状領域１７のみに測定対象物Ｔを収納し、柱状領域１６には収納しないようにすることができる。管状領域１７は、ガンマ線測定用収納容器１０よりも小さく、１つの大きな内部空間に測定対象物Ｔを詰め込む場合に比べて、ガンマ線測定用収納容器１０内に測定対象物Ｔをより均一に配置することができ、また、測定対象物Ｔが崩れ難くなる。
したがって、均一に詰め込んだ測定対象物Ｔがガンマ線測定用収納容器１０の下部に多く偏在し、測定対象物Ｔから発せられるガンマ線が遮蔽により減衰し、場合によってはガンマ線を検出できずに測定対象物Ｔの放射能濃度を実際よりも低く判断してしまうことを防止することができる。
また、ガンマ線測定用収納容器１０は、ガンマ線測定用収納容器１０内に測定対象物Ｔが崩れないように均一に配置し易くなるので、校正試験の結果又はシミュレーションに基づいてガンマ線の測定結果から放射能濃度をより正確に求めるのに寄与する。
また、ガンマ線の検出能力は、線源からガンマ線検出器に到達するまでに拡散される効果と、測定対象物Ｔによる遮蔽による減衰効果との相乗効果で表されるので、管状領域１７だけに測定対象物Ｔを収納することで、１つの大きな内部空間に測定対象物Ｔがある場合に比べて、前記線源からガンマ線検出器に到達するまでに拡散される効果及び測定対象物Ｔによる遮蔽による減衰効果が小さくなり、結果、ガンマ線の検出能力が高まる。
また、ガンマ線測定用収納容器１０は、測定対象物Ｔの材質毎にガンマ線測定用収納容器の大きさを変更する必要がなく、一つのガンマ線測定用収納容器を用いて、例えば密度が大きいため収納する総体積が小さい測定対象物Ｔの場合でも、ガンマ線検出器３と測定対象物Ｔとの距離が離れ過ぎないよう測定対象物Ｔを配置することができるので、あらゆる材質の測定対象物Ｔのガンマ線をより正確に、かつより効率良く測定するのに寄与する。
したがって、このガンマ線測定用収納容器１０は、測定対象物Ｔから発せられるガンマ線をより正確に、かつより効率良く測定し、これにより放射能濃度をより正確に求めるのに寄与する。
【００３５】
［ガンマ線測定方法］
次に、ガンマ線測定装置１０を用いて測定対象物Ｔから発せられるガンマ線を測定する方法の一例を以下に説明する。
【００３６】
まず、例えば、原子炉施設又は核燃料取扱施設で発生した、放射性物質によって汚染された可能性のある廃棄物を所望により切断し、材質及び形状等により選別し、例えば、約１００ｋｇを測定単位として測定対象物Ｔとする。
【００３７】
次いで、測定対象物Ｔを、柱状領域１６（内側領域）には収納せずに管状領域１７（外側領域）のみに収納する。例えば、測定対象物Ｔの形状がいずれも短冊状である場合には、図２（ａ）及び図２（ｂ）に示すように、短冊状の測定対象物Ｔの向きを適宜変更して、隣接する測定対象物Ｔの重なりの程度が大きく異ならないように、測定対象物Ｔを管状領域１７に詰め込む。
【００３８】
次いで、ガンマ線測定用収納容器１０の軸線Ａと、筐体２内の回転テーブル４の中心とが一致するように、測定対象物Ｔを詰め込んだガンマ線測定用収納容器１０を回転テーブル４に載置する。次いで、ガンマ線測定用収納容器１０を筐体２で包囲した状態で、回転テーブル４を所定の角速度で回転させつつガンマ線検出器３で測定対象物Ｔから発せられるガンマ線を測定する。ガンマ線測定用収納容器１０を筐体２内に入れてガンマ線を測定することにより、バックグラウンド放射線の影響を排除することができる。また、ガンマ線測定用収納容器１０を軸線Ａを中心にして回転させつつガンマ線を測定することにより、周方向の測定対象物Ｔの均一化及び放射線源の均一化を図ることができ、これによって校正試験の結果又はシミュレーションに基づいて、測定したガンマ線から放射能濃度をより正確に算出することができる。なお、クリアランスの判断を行う場合には、必ずしも放射能濃度を正確に測定する必要はなく、十分安全側に放射能濃度を評価して判断基準を満足することを判断できれば良いが、その場合であっても、放射能濃度をより正確に算出できることは、クリアランスに対してより安全な、あるいは、より合理的な判断を行うことができることを意味する。
【００３９】
柱状領域１６は、ガンマ線測定用収納容器１０を回転しつつガンマ線を測定するときにガンマ線検出器３に対面する位置に配置される管状領域１７に比べてガンマ線検出器３から遠い位置に配置される。ガンマ線の検出能力は、線源からガンマ線検出器３に到達するまでに拡散される効果と、測定対象物Ｔによる遮蔽による減衰効果との相乗効果で表されることから、柱状領域１６と管状領域１７との両方、又は柱状領域１６のみに測定対象物Ｔを収納した場合には、管状領域１７に収納された測定対象物Ｔに比べて柱状領域１６に収納された測定対象物Ｔの検出能力が劣る。このガンマ線測定方法では、柱状領域１６に測定対象物Ｔを収納しないので、ガンマ線を正確にかつ効率良く測定することができる。
このガンマ線測定方法では、測定対象物Ｔを管状領域１７のみに詰め込むので、測定対象物Ｔが筒形状隔壁１１と筒箱型のガンマ線測定装置１０の内側面１５との間に挟まれ、詰め込んだ測定対象物Ｔの径方向の移動が抑制されて崩れ難くなる。
また、このガンマ線測定方法では、測定対象物Ｔを管状領域１７のみに詰め込むので、ドラム缶の内部空間より詰め込む空間が小さくなり、１つの大きな空間であるドラム缶に測定対象物Ｔを詰め込む場合に比べて、測定対象物Ｔをより均一に配置することができ、また、崩れ難くなる。
したがって、均一に詰め込んだ測定対象物Ｔが崩れてガンマ線測定用収納容器の下部に折り重なり、測定対象物Ｔから発せられるガンマ線が自己遮蔽により減衰し、場合によってはガンマ線を検出できずに測定対象物Ｔの放射能濃度を実際よりも低く判断してしまうことを防止することができる。
また、このガンマ線測定方法では、ガンマ線測定用収納容器１０内に測定対象物Ｔが崩れないように均一に配置することができるので、校正試験の結果又はシミュレーションに基づいてガンマ線の測定結果から放射能濃度をより正確に求めることができる。
このガンマ線測定方法では、管状領域１７の少なくとも一部に測定対象物Ｔを配置するので、測定対象物Ｔの材質毎にガンマ線測定用収納容器の大きさを変更せずに、１つのガンマ線測定用収納容器１０を用いて、例えば密度が大きいため収納する総体積が小さい測定対象物Ｔの場合でも、ガンマ線検出器３と測定対象物Ｔとの距離を維持して、あらゆる材質の測定対象物Ｔのガンマ線をより正確に、かつより効率良く測定することができる。
したがって、このガンマ線測定方法によると、測定対象物Ｔから発せられるガンマ線をより正確にかつより効率良く測定し、これにより放射能濃度をより正確に求めることができる。
【００４０】
この発明に係るガンマ線測定用収納容器、ガンマ線測定装置、及びガンマ線測定方法は、前記実施形態に限定されることなく、この発明の課題を達成することができる限り適宜変更をすることができる。
【００４１】
（第２実施形態）
第２実施形態のガンマ線測定用収納容器１０は、第１実施形態のガンマ線測定用収納容器１０と同様の構造を有する。第２実施形態のガンマ線測定方法は、図２（ｃ）に示すように、柱状領域（内側領域）１６と管状領域（外側領域）１７との両方に測定対象物Ｔを収納し、柱状領域１６に管状領域１７よりも少ない量の測定対象物Ｔを詰め込むこと以外は、第１実施形態のガンマ線測定方法と同様である。すなわち、第２実施形態のガンマ線測定方法は、管状領域１７に収納された測定対象物Ｔの単位体積当たりの質量であるかさ密度Ｄ１と柱状領域１６に収納された測定対象物Ｔの単位体積当たりの質量であるかさ密度Ｄ２とが、Ｄ１＞Ｄ２を満たすように、柱状領域１６及び管状領域１７の両方に測定対象物Ｔを収納する。
【００４２】
第２実施形態のガンマ線測定方法は、柱状領域１６に管状領域１７よりも少ない量の測定対象物Ｔを詰め込むので、柱状領域１６に測定対象物Ｔを収納しない第１実施形態のガンマ線測定方法による効果に比べて多少劣るものの同様の効果が得られる。第２実施形態のガンマ線測定方法は、測定対象物Ｔの形状等により、管状領域１７には均一に配置するのは難しいが、柱状領域１６には均一に配置し易い場合等に有効である。
【００４３】
（第３実施形態）
図３に示すように、第３実施形態のガンマ線測定用収納容器２０は、以下の点以外は第１実施形態のガンマ線測定用収納容器１０と同様の構成を有する。ガンマ線測定用収納容器２０は、内部空間を柱状領域２６と管状領域２７とに分割する筒形状隔壁２１を有する。図３（ｂ）に示すように、ガンマ線測定用収納容器２０は、軸線Ａ２に略平行に配置され、かつ筒形状隔壁２１の外周面から内側面２５までＸ軸方向及びＹ軸方向に放射状に延在する４つの幅方向分割隔壁２４を有する。Ｚ軸方向から見ると内部空間が周方向に分割され、４つの扇柱状領域２７が形成されている。ガンマ線測定用収納容器２０は、ガンマ線測定用収納容器２０の軸線Ａ２すなわちＺ軸に略直交する方向に配置され、内部空間を軸線方向に分割する軸線方向分割隔壁２２，２３を有する。軸線方向分割隔壁２３は、柱状領域２６を上部柱状領域２６ａと下部柱状領域２６ｂとに分割する。軸線方向分割隔壁２２は、管状領域２７を上部管状領域２７ａと下部管状領域２７ｂとに分割する。この実施形態の軸線方向分割隔壁２２，２３はいずれもガンマ線測定用収納容器２０の中心より軸線Ａ２方向の底面側に設けられている。
【００４４】
第３実施形態のガンマ線測定方法は、下部柱状領域２６ｂと下部管状領域２７ｂとに測定対象物Ｔを収納せずに、上部柱状領域２６ａと上部管状領域２７ａとに測定対象物Ｔを収納し、かつ上部管状領域２７ａにおける測定対象物Ｔのかさ密度Ｄ３と上部柱状領域２６ａにおける測定対象物Ｔのかさ密度Ｄ４とが、Ｄ３＞Ｄ４を満たしていること以外は、第１実施形態のガンマ線測定方法と同様である。
なお、図３〜図７において、測定対象物Ｔが収納されている領域を斜線で示し、測定対象物Ｔが収納されていない領域を無模様で示す。また、測定対象物Ｔのかさ密度の大小を斜線の粗密で示す。
【００４５】
ガンマ線検出器３がガンマ線測定用収納容器２０の底面よりも高い位置に設置されているガンマ線測定装置又はガンマ線測定用収納容器２０の下側にはガンマ線検出器３が無いガンマ線測定装置では、下部柱状領域２６ｂと下部管状領域２７ｂとに収納された測定対象物Ｔから発せられるガンマ線の検出感度が低下する。第３実施形態のガンマ線測定方法によると、下部柱状領域２６ｂと下部管状領域２７ｂとに測定対象物Ｔが収納されていないので、例えば、図１に示すガンマ線測定装置１００において、ガンマ線検出器３がガンマ線測定用収納容器２０の底面よりも高い位置に設置されている場合又はガンマ線測定用収納容器２０の下側にはガンマ線検出器３が無い場合に、検出感度を向上させることができ、測定対象物Ｔから発せられるガンマ線をより正確に、かつより効率良く測定することができる。また、このガンマ線測定用収納容器２０は、内部空間をＺ軸の周方向に分割する４つの幅方向分割隔壁２４を有するので、測定対象物Ｔをより均一に配置することができ、また、崩れ難くなる。Ｄ３＞Ｄ４を満たすように、上部柱状領域２６と上部管状領域２７との両方に測定対象物Ｔを収納することによる効果は、第２実施形態のガンマ線測定方法による効果と同様である。
【００４６】
なお、第３実施形態では、上部柱状領域２６ａと上部管状領域２７ａとの両方に測定対象物Ｔを収納しているが、上部柱状領域２６ａに測定対象物Ｔを収納せずに、上部管状領域２７ａのみに測定対象物Ｔを収納してもよい。上部柱状領域２６ａに測定対象物Ｔを収納せずに、上部管状領域２７ａのみに測定対象物Ｔを収納することによる効果は、第１実施形態のガンマ線測定方法による効果と同様である。
また、第３実施形態のガンマ線測定用収納容器２０は、ガンマ線検出器３がガンマ線測定用収納容器２０の底面よりも高い位置設置されているガンマ線測定装置の場合またはガンマ線測定用収納容器２０の下側にはガンマ線検出器３が無いガンマ線測定装置の場合に効果を発揮する構成であるが、ガンマ線検出器３が設けられている位置に応じて隔壁により分割領域を形成すればよく、測定対象物Ｔから発せられるガンマ線の検出感度が低い分割領域に測定対象物Ｔを収納せずに、検出感度が高い分割領域に測定対象物Ｔを収納することにより、測定対象物Ｔから発せられるガンマ線を正確に、かつ効率良く測定することができる。
【００４７】
（第４実施形態）
図４に示すように、第４実施形態のガンマ線測定用収納容器３０は、以下の点以外は第１実施形態のガンマ線測定用収納容器１０と同様の構成を有する。ガンマ線測定用収納容器３０は、ガンマ線測定用収納容器３０の軸線Ａ３に略一致する軸材３１と、軸線Ａ３に略平行に配置され、かつ軸材３１から内側面３５までＸ軸方向及びＹ軸方向に放射状に延在する４つの幅方向分割隔壁３４を有し、図４（ａ）に示すように、Ｚ軸に直交する方向から見ると内部空間が幅方向に分割され、図４（ｂ）に示すように、Ｚ軸方向から見ると内部空間が周方向に分割され、扇柱状領域３７が形成されている。ガンマ線測定用収納容器３０は、Ｚ軸に略直交する方向に配置され、かつ内部空間を軸線Ａ３方向に分割する２つの軸線方向分割隔壁３２を有し、４つの扇柱状領域がそれぞれ軸線Ａ３方向に分割されて、上部扇柱状領域３７ａと中部扇柱状領域３７ｂと下部扇柱状領域３７ｃとに分割されている。この実施形態の軸線方向分割隔壁３２はガンマ線測定用収納容器２０の軸線Ａ３方向に等間隔に設けられている。
【００４８】
第４実施形態のガンマ線測定方法は、幅方向分割隔壁３４と軸線方向分割隔壁３２とにより分割された１２個の扇柱状領域３７ａ，３７ｂ，３７ｃすべてに、同じかさ密度となるように測定対象物Ｔを収納すること以外は、第１実施形態のガンマ線測定方法と同様である。
【００４９】
第４実施形態のガンマ線測定用収納容器３０及びガンマ線測定方法によると、扇柱状領域３７ａ，３７ｂ，３７ｃ同士のかさ密度差をなくすことで、ガンマ線測定用収納容器３０に測定対象物Ｔを均一に配置することができ、また、幅方向分割隔壁３４、軸線方向分割隔壁３２、及びガンマ線測定用収納容器３０の内側面３５により測定対象物Ｔが挟まれるので移動し難くなり、ガンマ線測定用収納容器３０を取り扱う際に測定対象物Ｔが崩れ難くなる。ガンマ線測定用収納容器３０に測定対象物Ｔをより均一に配置することができ、また、測定対象物Ｔが崩れ難いことによる効果は、第１実施形態のガンマ線測定用収納容器１０及びガンマ線測定方法による効果と同様である。
【００５０】
なお、第４実施形態のガンマ線測定用収納容器３０は、軸材３１を中心にして４つの幅方向分割隔壁が配置されているが、軸材３１を配置せずに幅方向分割隔壁３４のみで内部空間を分割するようにしてもよい。また、第４実施形態のガンマ線測定用収納容器３０は、同じ形状を有する４つの扇柱状領域３７が形成されているが、扇柱状領域３７は互いに異なる形状を有してもよく、また扇柱状領域３７の数も特に限定されない。
また、第４実施形態では、すべての扇柱状領域３７ａ，３７ｂ，３７ｃに測定対象物Ｔを収納しているが、扇柱状領域３７ａ，３７ｂ，３７ｃのうちの一部に測定対象物Ｔを収納するようにしてもよい。例えば、上部扇柱状領域３７ａ及び下部扇柱状領域３７ｃに測定対象物Ｔを収納せずに、中部柱状領域３７ｂのみに測定対象物Ｔを収納するようにしてもよい。ガンマ線検出器３がガンマ線測定用収納容器２０の底面よりも高い位置に設置されているガンマ線測定装置又はガンマ線測定用収納容器２０の下側にはガンマ線検出器３が無いガンマ線測定装置では、下部扇柱状領域３７ｃに収納された測定対象物Ｔから発せられるガンマ線の検出感度が低下する。したがって、下部扇柱状領域３７ｃに測定対象物Ｔが収納せずに、中部柱状領域３７ｂのみに測定対象物Ｔを収納すると、検出感度を向上させることができ、測定対象物Ｔから発せられるガンマ線をより正確に、かつより効率良く測定することができる。また、測定対象物Ｔは中部扇柱状領域３７ｂのみに詰め込まれるので、ドラム缶の内部空間より詰め込む空間が小さくなり、一つの大きな空間であるドラム缶に測定対象物Ｔを詰め込む場合に比べて、測定対象物Ｔを均一に詰め込み易くなる。また、測定対象物Ｔが幅方向分割隔壁３４、軸線方向分割隔壁３２、及びガンマ線測定用収納容器３０の内側面３５によって支持されるので、詰め込んだ測定対象物Ｔの径方向の移動が抑制されて崩れ難くなる。
【００５１】
（第５実施形態）
図５に示すように、第５実施形態のガンマ線測定用収納容器４０は、以下の点以外は第１実施形態のガンマ線測定用収納容器１０と同様の構成を有する。ガンマ線測定用収納容器４０は、角箱型である。ガンマ線測定用収納容器４０は、軸線Ａ４方向に延びる角筒形状を有し、内部空間を角柱状領域４６と角柱状領域４６の外周に配置される角管状領域４７とに分割する角筒状隔壁４１を有する。ガンマ線測定用収納容器４０は、軸線Ａ４すなわちＺ軸に略直交する方向に配置され、角柱状領域４６を軸線Ａ４方向に分割する２つの軸線方向分割隔壁４３を有し、角柱状領域４６が軸線Ａ４方向に分割されて、上部角柱状領域４６ａと中部角柱状領域４６ｂと下部角柱状領域４６ｃとに分割されている。２つの軸線方向分割隔壁４３は、ガンマ線測定用収納容器４０の中心の軸線Ａ４方向の両側に設けられている。角筒状隔壁４１の軸線とガンマ線測定用収納容器４０の軸線Ａ４とは一致している。この角筒状隔壁４１は、Ｚ軸方向すなわち軸線Ａ４に略平行に配置され、内部空間を幅方向に分割しているので、幅方向分割隔壁４１と称することもできる。ガンマ線測定用収納容器４０が、例えば、６方向にガンマ線検出器２０３が設けられている、図７に示すガンマ線測定装置２００に設置されて、測定対象物Ｔのガンマ線が測定される場合には、角管状領域４７と上部角柱状領域４６ａと下部角柱状領域４６ｃとは、ガンマ線検出器２０３に対面する位置に配置されているので、外側領域４７，４６ａ，４６ｃと称することもできる。中部角柱状領域４６ｂは、ガンマ線検出器２０３に対して外側領域４７，４６ａ，４６ｃより内部空間の内側に配置されているので、内側領域４６ｂと称することもできる。
【００５２】
ガンマ線測定用収納容器４０は、Ｘ軸方向及びＹ軸方向の少なくとも一方にガンマ線検出器３を有する、図１に示すガンマ線測定装置１００に設置して使用することもできるが、外形が角箱型であることから、Ｘ軸方向、Ｙ軸方向、及びＺ軸方向それぞれに一対のガンマ線検出器２０３を有し、回転テーブルを有さない、図７に示すガンマ線測定装置２００に設置して使用するのが好ましい。ガンマ線測定用収納容器４０は角箱型であることから、図１に示すガンマ線測定装置１００のように、回転テーブル４でガンマ線測定用収納容器４０を回転しつつガンマ線を測定しようとすると、ガンマ線測定用収納容器４０の対角線方向の長さより大きい幅を有する筐体２が必要になり、ガンマ線測定装置２００が大型化する。また、角箱型のガンマ線測定用収納容器４０を回転させつつガンマ線を測定する場合、筒箱型の場合に比べてガンマ線検出器３と測定対象物Ｔとの距離が大きく変化するので、ガンマ線測定精度が低下するおそれがある。したがって、角箱型のガンマ線測定用収納容器４０は、回転テーブルを有さない図７に示すガンマ線測定装置２００に設置して使用するのが好ましい。
【００５３】
図７に示すガンマ線測定装置２００は、以下の点以外は図１に示すガンマ線測定装置１００と同様の構成を有する。ガンマ線測定装置２００は、ガンマ線測定用収納容器４０を取り囲み、外部からの放射線を遮断する筐体２０２を有する。筐体は角箱型を有する。ガンマ線測定装置２００は、測定対象物Ｔから発せられるガンマ線を検出するガンマ線検出器２０３の有感部をガンマ線測定用収納容器４０と筐体２０２との間に有する。ガンマ線検出器２０３を有する検出装置は、筐体２０２のすべての壁すなわちＸ軸方向、Ｙ軸方向、及びＺ軸方向に配置されている６つの壁をそれぞれ貫通するように配置され、ガンマ線検出器２０３の有感部が筐体２０２の内部に露出するように配置されている。ガンマ線検出器２０３の数は特に限定されず、１台の大型のガンマ線検出器を設けてもよいし、複数の小型のガンマ線検出器を設けてもよい。
また、特定の面だけにガンマ線検出器を配置し、ガンマ線測定用収納容器４０を回転させて複数回測定してもよいし、ガンマ線検出器を移動させる、又は取り外して別の面に取り付ける等して、測定方向を変えて測定してもよい。この場合には筺体に遮蔽体を設けることは難しいので、分解能は劣るものの、Ｇｅ半導体検出器よりもＮａＩシンチレーション検出器等の感度の高いガンマ線検出器を使うのが好ましい。
ガンマ線検出器２０３の数が多いほどガンマ線測定感度をより平坦化できる。このガンマ線測定装置２００は、６方向にガンマ線検出器２０３が設けられているので、ガンマ線測定用収納容器４０を回転させずに、Ｘ軸方向、Ｙ軸方向、及びＺ軸方向における測定対象物Ｔの均一化及び放射線源の均一化を図ることができる。
【００５４】
第５実施形態のガンマ線測定方法は、角筒形状隔壁４１と軸線方向分割隔壁４３とにより分割された内側領域４６ｂに測定対象物Ｔを収納せずに、外側領域４７，４６ａ，４６ｃに測定対象物Ｔを収納すること以外は、第１実施形態のガンマ線測定方法と同様である。
【００５５】
第５実施形態のガンマ線測定用収納容器４０及びガンマ線測定方法による効果は、第１実施形態のガンマ線測定用収納容器１０及びガンマ線測定方法による効果と同様である。
図５に示すガンマ線測定用収納容器４０を図７に示すガンマ線測定装置２００に設置してガンマ線を測定する場合、ガンマ線測定装置２００は、Ｘ軸方向、Ｙ軸方向、及びＺ軸方向それぞれに一対のガンマ線検出器２０３を有するので、内側領域４６ｂは、ガンマ線検出器２０３に対面する位置に配置される外側領域４７，４６ａ，４６ｃに比べてガンマ線検出器２０３から遠い位置に配置される。ガンマ線の検出能力は、線源からガンマ線検出器３に到達するまでに拡散される効果と、測定対象物Ｔによる遮蔽による減衰効果との相乗効果で表されることから、内側領域４６ｂと外側領域４７，４６ａ，４６ｃとの両方に測定対象物Ｔを収納した場合には、外側領域４７，４６ａ，４６ｃに収納された測定対象物Ｔに比べて内側領域４６ｂに収納された測定対象物Ｔから発せられるガンマ線の検出能力が劣る。このガンマ線測定方法では、内側領域４６ｂに測定対象物Ｔを収納しないで外側領域４７，４６ａ，４６ｃのみに測定対象物Ｔを収納するので、ガンマ線を正確にかつ効率良く測定することができる。
【００５６】
なお、図５において、内側領域４６ａには測定対象物Ｔが収納されていない状態が示されている。内側領域４６ａは、密度が小さく遮蔽効果が生じにくい物質で、かつ放射線を発生しない物質で満たされているか、或いは、中空であればよい。
【００５７】
（第６実施形態）
図６に示すように、第６実施形態のガンマ線測定用収納容器５０は、以下の点以外は、第５実施形態のガンマ線測定用収納容器４０と同様の構成を有する。ガンマ線測定用収納容器５０は、軸線Ａ５方向に略平行に配置され、内部空間を幅方向に分割する４つの幅方向分割隔壁５１を有する。ガンマ線測定用収納容器５０は、この幅方向分割隔壁５１で囲まれて形成された角柱状領域５６と、角柱状領域５６の外周に配置された４つの長角柱状領域５７とを有する。ガンマ線測定用収納容器５０は、軸線Ａ５すなわちＺ軸に略直交する方向に配置され、角柱状領域５６及び長角柱状領域５７をそれぞれ軸線Ａ５方向に分割する２つの軸線方向分割隔壁５３を有し、角柱状領域５６及び長角柱状領域５７がそれぞれ軸線Ａ５方向に分割されている。角柱状領域５６は、上部角柱状領域５６ａと中部角柱状領域５６ｂと下部角柱状領域５６ｃとに分割されている。４つの幅方向分割隔壁５１のうちの２つはＹ軸に略平行に配置され、一方の幅方向分割隔壁５１はＸ軸に略平行に延在するガンマ線測定用収納容器５０の内側面５５ａに接合され、他方の幅方向分割隔壁５１は前記内側面５５ａに対向して配置される内側面５５ｃに接合されている。また、４つの幅方向分割隔壁５１のうちの他の２つはＸ軸に略平行に配置され、一方の幅方向分割隔壁５１はＹ軸に略平行に延在するガンマ線測定用収納容器５０の内側面５５ｂに接合され、他方の幅方向分割隔壁５１は前記内側面５５ｂに対向して配置される内側面５５ｄに接合されている。この実施形態において、角柱状領域５６の軸線とガンマ線測定用収納容器５０の軸線Ａ５とは一致している。２つの軸線方向分割隔壁５３は、ガンマ線測定用収納容器５０の中心の軸線Ａ５方向の両側に設けられている。ガンマ線測定用収納容器５０が、例えば、６方向にガンマ線検出器２０３が設けられている、図７に示すガンマ線測定装置２００に設置されて、測定対象物Ｔのガンマ線が測定される場合には、長角柱状領域５７と上部角柱状領域５６ａと下部角柱状領域５６ｃとは、ガンマ線検出器２０３に対面する位置に配置されるので、外側領域５７，５６ａ，５６ｃと称することができる。中部角柱状領域５６ｂは、ガンマ線検出器２０３に対して外側領域５７，５６ａ，５６ｃより内部空間の内側に配置されているので、内側領域５６ｂと称することもできる。
【００５８】
ガンマ線測定用収納容器５０は、Ｘ軸方向及びＹ軸方向の少なくとも一方にガンマ線検出器３を有する、図１に示すガンマ線測定装置１００に設置して使用することもできるが、外形が角箱型であることから、ガンマ線測定用収納容器４０の場合と同様に、Ｘ軸方向、Ｙ軸方向、及びＺ軸方向それぞれに一対のガンマ線検出器２０３を有する、図７に示すガンマ線測定装置２００に設置して使用するのが好ましい。
【００５９】
第６実施形態のガンマ線測定方法は、幅方向分割隔壁５１と軸線方向分割隔壁５３とにより分割された内側領域５６ｂに測定対象物Ｔを収納せずに、外側領域５７，５６ａ，５６ｃのみに測定対象物Ｔを収納すること以外は、第１実施形態のガンマ線測定方法と同様である。
【００６０】
第６実施形態のガンマ線測定用収納容器５０及びガンマ線測定方法による効果は、第５実施形態のガンマ線測定用収納容器４０及びガンマ線測定方法による効果と同様である。
【００６１】
なお、図６において、内側領域５６ａには測定対象物Ｔが収納されていない状態が示されている。内側領域５６ａは、密度が小さく遮蔽効果が生じにくい物質で、かつ放射線を発生しない物質で満たされているか、或いは、中空であればよい。
【符号の説明】
【００６２】
１００、２００    ガンマ線測定装置
２、２０２    筐体
３、２０３    ガンマ線検出器
４    回転テーブル
１０、２０、３０、４０、５０    ガンマ線測定用収納容器
８０      分割領域
９０      隔壁
１１    幅方向分割隔壁、筒形状隔壁
１５、２５、３５、４５、５５ａ〜５５ｄ    内側面
１６    内側領域、柱状領域
１７    外側領域、管状領域
２１    幅方向分割隔壁、筒形状隔壁
２２、２３    軸線方向分割隔壁
２４    幅方向分割隔壁
２６    柱状領域
２７    管状領域、扇柱状領域
２６ａ    上部柱状領域
２６ｂ    下部柱状領域
２７ａ    上部管状領域
２７ｂ    下部管状領域
３１    軸材
３２    軸線方向分割隔壁
３４    幅方向分割隔壁
３７    扇柱状領域
３７ａ    上部扇柱状領域
３７ｂ    中部扇柱状領域
３７ｃ    下部扇柱状領域
４１    角筒状隔壁、幅方向分割隔壁
４３    軸線方向分割隔壁
４６    角柱状領域
４６ａ    上部角柱状領域、外側領域
４６ｂ    中部角柱状領域、内側領域
４６ｃ    下部角柱状領域、外側領域
４７    角管状領域、外側領域
５１    幅方向分割隔壁
５３    軸線方向分割隔壁
５６    角柱状領域
５６ａ    上部角柱状領域、外側領域
５６ｂ    中部角柱状領域、内側領域
５６ｃ    下部角柱状領域、外側領域
５７    長角柱状領域、外側領域
Ｔ    測定対象物
【図１】
0006574996.tif 000002
【図２】
0006574996.tif 000003
【図３】
0006574996.tif 000004
【図４】
0006574996.tif 000005
【図５】
0006574996.tif 000006
【図６】
0006574996.tif 000007
【図７】
0006574996.tif 000008